(57)【要約】【課題】印刷層の色柄と凹凸薄単板層の色柄とを融合調和させることで、装飾性に優れた新しい木目外観の化粧板を得ることを可能とする。【解決手段】基板の表面に、この基板の表面色を隠蔽する印刷層を設け、この印刷層の表面に透明性接着剤層を介して春目部を凹とし秋目部を凸とする凹凸薄単板層を設け、この凹凸薄単板層の表面に透明性樹脂塗料層を設けて、印刷層の色柄と凹凸薄単板の木目とが融合調和した外観を表面に現出させる。【選択図】図１
2010173202.tif 000002
【特許請求の範囲】
【請求項１】
基板の表面に、木目の色柄と融合調和する色柄で且つ上記基板の表面色を隠蔽する印刷層を設け、該印刷層の表面に透明性接着剤層を介して春目部を凹とし秋目部を凸とする凹凸薄単板層を設け、該凹凸薄単板層の表面に透明性樹脂塗料層を設けて、印刷層の色柄と凹凸薄単板の木目の色柄とが融合調和した外観を表面に現出せしめてなる化粧板。
【請求項２】
凹凸薄単板層の春目部の厚さが０．０５ｍｍ以下であることを特徴とする請求項１に記載の化粧板。
【請求項３】
印刷層が、パール調印刷層であることを特徴とする請求項１又は２に記載の化粧板。
【請求項４】
凹凸薄単板層に、透明性樹脂塗料の一部が含浸していることを特徴とする請求項１乃至３に記載の化粧板。
【請求項５】
透明性樹脂塗料層を、凹凸薄単板層を埋設して表面が平滑となるように設けたことを特徴とする請求項１乃至４に記載の化粧板
【請求項６】
基板の表面に、木目の色柄と融合調和する色柄で、且つ基板の表面色を隠蔽する印刷層を形成する印刷層形成工程と、該印刷層の表面に透明性接着剤を塗布し、厚さ０．２ｍｍ以上０．５ｍｍ以下の薄単板を接着する薄単板接着工程と、該薄単板の表面をショットブラスト又はブラッシングで研削して春目部を凹とし秋目部を凸とする凹凸薄単板層を形成する薄単板研削工程と、該凹凸薄単板層の表面に透明性樹脂塗料を塗布して透明性樹脂塗料層を形成する樹脂塗料塗布工程とを備えてなることを特徴とする化粧板の製造方法。
【請求項７】
印刷層が、基板の表面に不透明性接着剤を塗布し、その表面に印刷紙をラミネートして形成されていることを特徴とする請求項６に記載の化粧板の製造方法。
【請求項８】
印刷層が、基板の表面にその表面色を隠蔽するようにダイレクト印刷して形成されていることを特徴とする請求項６に記載の化粧板の製造方法。
【請求項９】
凹凸薄単板層の春目部の厚さが、０．０５ｍｍ以下となるように研削することを特徴とする請求項６乃至８に記載の化粧板の製造方法。
【請求項１０】
印刷層が、パール調印刷層であることを特徴とする請求項６乃至９に記載の化粧板の製造方法。
【請求項１１】
凹凸薄単板層の春目部に、透明性樹脂塗料の一部を含浸させることを特徴とする請求項６乃至１０に記載の化粧板の製造方法。
【請求項１２】
透明性樹脂塗料層を凹凸薄単板層を埋設して表面が平滑となるように塗布することを特徴とする請求項６乃至１１に記載の化粧板の製造方法。
【発明の詳細な説明】
【技術分野】
【０００１】
本発明は、住宅等建築物の床用、壁用その他の内装用建材や家具の面材として用いるに好適な、装飾性に優れた化粧板およびその製造方法に関するものである。
【背景技術】
【０００２】
従来から、合板やＭＤＦ、或いは合板の表面を樹脂含浸紙や薄物ＭＤＦで補強した複合板などからなる木質基板の表面に、天然銘木薄単板を接着し、更にその表面に透明性樹脂塗装を施した化粧板は良く知られており、住宅の床用化粧板や収納家具の面材などに広く使用されている。しかしながら、このような天然銘木薄単板は資源が枯渇化し、入手が困難で高価になってきており、これら天然銘木薄単板より装飾性に劣る木質薄単板の利用が必要となってきている。
【０００３】
一方、このような木質薄単板も高価になってきたため、最近では０．２ｍｍ〜０．５ｍｍ程度の薄物が多く使用されている。また、木質基板に用いる合板も、南洋産広葉樹に代って、針葉樹や植林木などの表面に節などの欠点の多い樹種よりなる合板が用いられている。更には、ＭＤＦも色が濃褐色である。このため、このような欠点の多い合板や濃褐色のＭＤＦの表面に、上記のような薄い木質薄単板を接着すると、基板の節などの欠点や濃い表面色が、木質薄単板の表面に浮き出て化粧板の表面外観を著しく損なうという問題点を有していた。
【０００４】
一方、特許文献１には、基材上に着色紙などを接着し、この上に透明接着剤を介して薄化粧単板を接着し、更にこの表面を透明塗料層により被覆することで、木材色調とは異なる色合いと単板の木理模様とが重なり映し出され、しかも単板の微細な木理が忠実に顕現するカラー単板積層品が示されている。
【０００５】
これによれば、高価な天然銘木単板を極めて薄くして利用できるとともに基材色を隠蔽して所望の色調と単板の木理とを重なり映し出すことができ、天然銘木の色合いとは全く異なる色合いを有するものを提供することができる。
【０００６】
しかしながら、この方法では、天然銘木単板の装飾性の良い木理を生かしながら黄色、青色、灰色のような特殊な色調の化粧板を得ることはできても、装飾性に劣る木質薄単板の木目の装飾性を高めたり、天然木にはない新しい木目外観を現出させたり、木目外観に深みや立体感を与えたりすることはできなかった。
【０００７】
また、極めて薄い木質薄単板が必要となるため、そのスライス加工や接着加工などの生産が難しくなるという問題を有していた。
【先行技術文献】
【特許文献】
【０００８】
【特許文献１】特開平３−８３６０１号公報
【発明の概要】
【発明が解決しようとする課題】
【０００９】
本発明はかかる従来の問題点に鑑みなされたもので、基板表面の欠点や色の影響を受けることがなく、立体感と深みがあり、装飾性に優れた新しい木目外観の化粧板とその生産性の良い製造方法を提供することを目的とする。
【課題を解決するための手段】
【００１０】
本発明の化粧板は、前記目的を達成するために、基板の表面に、木目の色柄と融合調和する色柄で且つ上記基板の表面色を隠蔽する印刷層を設け、この印刷層の表面に透明性接着剤層を介して春目部を凹とし秋目部を凸とする凹凸薄単板層を設け、この凹凸薄単板層の表面に透明性樹脂塗料層を設けて、印刷層の色柄と凹凸薄単板の木目の色柄とが融合調和した外観を表面に現出せしめるようにしたことを主要な特徴とする。
【００１１】
また、本発明の化粧板の製造方法は、前記目的を達成するために、基板の表面に、木目の色柄と融合調和する色柄で、且つ基板の表面色を隠蔽する印刷層を形成する印刷層形成工程と、該印刷層の表面に透明性接着剤を塗布し、厚さ０．２ｍｍ以上０．５ｍｍ以下の薄単板を接着する薄単板接着工程と、該薄単板の表面をショットブラスト又はブラッシングで研削して春目部を凹とし秋目部を凸とする凹凸薄単板層を形成する薄単板研削工程と、該凹凸薄単板層の表面に透明性樹脂塗料を塗布して透明性樹脂塗料層を形成する樹脂塗料塗布工程とを備えてなることを主要な特徴とする。
【発明の効果】
【００１２】
本発明の化粧板およびその製造方法によると、基板の節などの欠点や濃褐色の表面色が印刷層によって遮蔽されて表面に現出することがなく、また、印刷層の色柄が凹凸薄単板の木目の色柄と融合調和して、立体感と深みのある新しい木目外観となった化粧板を得ることができ、このような化粧板を生産性よく製造することができる。
【図面の簡単な説明】
【００１３】
【図１】本発明の実施形態である化粧板Ａを示した断面図である。
【図２】本発明の実施形態である化粧板Ｂを示した断面図である。
【図３】本発明の実施形態である化粧板Ｃを示した断面図である。
【図４】本発明の実施形態である化粧板Ａの製造方法を示した説明図である。
【発明を実施するための形態】
【００１４】
以下、本発明の化粧板とその製造方法の実施形態を、図面に基づき説明する。尚、本発明は本実施形態の記載内容に限られるものではない。
【００１５】
図１は、本発明の実施形態である化粧板Ａの断面図を示す。化粧板Ａは、下から順に基板１の表面に、不透明性接着剤層２と印刷紙層３とからなる印刷層４を設け、この印刷層４の表面に透明性接着剤層５を設け、この透明性接着剤層５の表面に凹凸薄単板層６を設け、この凹凸薄単板層６の表面に透明性樹脂塗料層７を設けて形成されている。
【００１６】
基板１としては、合板、ＭＤＦ、ＬＶＬ、パーティクルボードなどの木質板、又はこれら木質板の表面に薄いＭＤＦを積層接着した木質複合板、或いは、これら木質板や木質複合板の表面に樹脂層や樹脂含浸紙層を設けて表面を強化した木質基板を好適に用いることができる。このような木質基板以外では、無機質繊維板や火山性ガラス質複層板などの無機質板や合成樹脂板なども基板１として用いることができる。
【００１７】
本実施形態では、印刷層４として、不透明性接着剤層２と印刷紙層３とで形成されたものを用いている。不透明性接着剤層２としては、接着剤、例えばエチレン酢酸ビニル樹脂接着剤や尿素メラミン樹脂接着剤などの硬化後に透明性を発現する接着剤に酸化チタンなどの白顔料を加えて隠蔽性を付与したものを用いることができる。
【００１８】
印刷紙層３としては、板目、柾目などの木目柄模様を印刷したもの、連続的な或いは断続的な直線状のストライプ柄模様を印刷したもの、連続的或いは断続的な波型柄模様を印刷したもの、シボ柄模様や岩肌柄模様、斑柄模様、ゆず肌柄模様などの地模様を印刷したもの、その他の不規則な曲線柄模様や細かな格子柄模様を印刷したもの、およびこれらの印刷を全面的に或いは部分的にパール調、メタリック調などの光輝性、光沢性を有するもの、その他の色に着色したものなどを用いることができる。
【００１９】
このような印刷紙層３の色柄は、後述する凹凸薄単板層６を表面に設けたときに、その凹部である春目部８において強く現出し、秋目部９においてはほとんど目立たないようになることを考慮して、凹凸薄単板層６の木目や色調と融合調和し、化粧板Ａの表面に立体感や深みを与え、また新しい感覚の木目外観を強調できるように設定して選択することができる。
【００２０】
尚、本実施形態では、印刷層４に隠蔽性を付与するために接着剤層２を不透明性にするものを示したが、これに限らず印刷紙層３に隠蔽性を付与したものを用いることもできる。具体的には、裏面にアルミ箔などの隠蔽性シートを接着複合した印刷紙を用いる、或いは白顔料を内添した印刷紙を用いることを挙げることができる。尚、本実施形態における印刷紙には、所謂植物繊維を原料とする紙に限らず、合成繊維紙や合成樹脂フィルムやシートなど幅広い原料からなるフィルム状やシート状の紙状物に印刷を施したものを用いることができる。
【００２１】
透明性接着剤層５としては、硬化した状態で透明又は半透明であり、印刷層４の色柄をその表面に透過乃至は半透過できることが必要である。このような透明性接着剤層５は、具体的には、尿素・メラミン樹脂、メラミン樹脂、エチレン酢酸ビニル樹脂、ビニルウレタン樹脂などの接着剤の硬化体、又はこれらの接着剤に着色顔料を少量混合した着色接着剤の半透明硬化体などを用いることができる。
【００２２】
凹凸薄単板層６としては、凹部が春目部８、凸部が秋目部９で構成された浮造り調外観を有しているものを用いることができる。ここで、春目部８の厚さは０．０５ｍｍ以下に形成されているのが好ましく、秋目部の厚さは０．０５ｍｍ〜０．５ｍｍ程度に形成されているのが好ましい。これによって透明性接着剤層５を透過した印刷層４表面の色柄は、厚さの薄い春目部８においては強く、厚さの厚い秋目部８においては弱く、或いは目立たない状態に凹凸薄単板層６の色柄と融合調和して表面に現出させることができるようになる。
【００２３】
ここにおいて、凹部である春目部８の厚さが０．０５ｍｍを超えると、印刷層４の色柄を凹凸薄単板層６の色柄と融合調和させて、新しい意匠外観として現出させるのが不鮮明となる。また、凸部である秋目部９の厚さが０．０５ｍｍ以下となると、印刷層４の色柄の現出が春目部８と秋目部９とで小さくなって化粧外観を損なったり、加工が難しくなることがあるので好ましくない。
【００２４】
これによって、それほど装飾性の高くない木質化粧単板を凹凸薄単板層６に用いても、印刷層４の色柄と木質化粧単板の色柄とを、春目部においては強く、秋目部においては弱く、或いはほとんど目立たない程度に融合調和させることができるようになる。
【００２５】
透明性樹脂塗料層７は、凹凸薄単板層６の凹凸を埋設し表面が平滑となるように設けることができる。このような透明性樹脂塗料層７に用いる樹脂としては、例えばウレタンアクリレート樹脂、エポキシアクリレート樹脂、メタアクリレート樹脂などの硬化後に透明性を発現するものを用いることができ、これに更に着色顔料を添加して硬化後に半透明となるものを用いることもできる。
【００２６】
これによって、前記印刷層４と前記凹凸薄単板層６の色柄とが、その春目部８においては強く、秋目部９においては弱く、或いはほとんど目立たない程度に融合した新しい木目外観を透明性樹脂塗料層７を介して表面に現出させることができる。尚、ここにおいて、この透明性樹脂塗料層７の表面に更に上塗り用透明性樹脂塗料層を設けて表面の保護を強化しておくこともできる。
【００２７】
ここにおいて、用いる印刷層４の色柄と、用いる凹凸薄単板層の色柄、及びこれら色柄が融合調和して現出する新しい木目外観の具体例を例示する。第一の例として、印刷層４の色柄として、０．５ｍｍ〜３ｍｍ幅の細かなヘアライン調のストライプ柄を印刷した薄茶色の印刷紙を用い、凹凸薄単板層６の木目模様の色柄として、変化の乏しいサワグルミの板目単板を用い、このサワグルミ板目単板の長さ方向（縦方向）に対し直交する方向に印刷層４のストライプ柄の長さ方向が向くようにサワグルミの板目単板を設けた場合、印刷層４のストライプ調の色柄は、サワグルミ板目単板の春目部において強く、秋目部において弱く表面に現出し、鋸目仕上げ（ラフソーン仕上げ）のような自然観のあるワイルドな外観を表面に現出させることができる。
【００２８】
第二の例として、第一の例においてサワグルミ板目単板の長さ方向（縦方向）に対し平行する方向に印刷層４のストライプ柄の長さ方向が向くようにサワグルミの板目単板を設け、その他は第一の例と同じにした場合、印刷層４のストライプ調の色柄は、サワグルミ板目単板の春目部において強く、秋目部において弱く表面に現出し、秋目部の板目に照りと柾目が組み合わさったような自然観のある新しい木目外観を表面に現出させることができる。
【００２９】
第三の例として、印刷層４の色柄として、細かなシボ状地模様を有する金色（ゴールドパール）の印刷紙を用い、凹凸薄単板層６の木目模様の色柄として、第一の例と同じサワグルミの板目単板を用いた場合、印刷層４の金色（ゴールドパール）の細かなシボ状模様は、サワグルミ板目単板の春目部において強く、秋目部において弱く表面に現出し、シボ状模様とその輝きのある色が加わって、新しい人工的な木目外観をその表面に現出させることができる。
【００３０】
第四の例として、印刷層４の色柄として、３ｍｍ間隔程度の細かな斜格子柄模様を淡い灰緑色に印刷した印刷紙を用い、凹凸薄単板層６の木目模様の色柄として、第一の例と同じサワグルミの板目単板を用いた場合、印刷層４の斜め格子柄模様が、サワグルミ板目単板の春目部において強く、秋目部において弱く表面に現出し、木目と融合して、落ち着きがあり、あたかも斜め格子のエンボスが押してあるかのような新しい人工的な木目外観をその表面に現出させることができる。
【００３１】
図２は、印刷層４として、基板１の表面に、隠蔽性のあるダイレクト印刷層を設けた場合を示し、その他は、前記化粧板Ａと同様に構成した化粧板Ｂである。これによれば、より生産性良く印刷層４を形成することができる。
【００３２】
また図３は、前記化粧板Ａの透明性樹脂塗料層７を凹凸薄単板の浮造り調凹凸が消失しないように設けて表面に木目の凹凸感を現出させ、その他の構成を前記化粧板Ａと同様に構成した化粧板Ｃである。これによれば、表面に実際に浮造り調の凹凸が現出しているので、触感的にも凹凸を感じ得るものにすることができる。
【００３３】
次に、図４の（ａ）〜（ｇ）に従って、化粧板Ａの製造方法を説明する。図４の（ａ）は基板１であり、印刷層形成工程では、まずこの基板１の表面に図４の（ｂ）に示すように不透明性接着剤２’をロールコーター或いはフローコーターなどで塗布する。ここにおいて、不透明性接着剤２’としては、エチレン酢酸ビニル共重合樹脂エマルジョン接着剤、或いは水性尿素メラミン樹脂接着剤などの硬化後に透明性を発現する接着剤に、酸化チタンなどの白顔料を加えて硬化後に不透明となるように調整したものを用いることができる。
【００３４】
次に、この塗布した不透明性接着剤２’が未硬化の状態で、図４の（ｃ）に示すようにその表面に印刷紙３を載置し不透明性接着剤２’を硬化させて接着一体化し、不透明性接着剤層２と印刷紙３とからなる印刷層４に形成する。
【００３５】
次に、薄単板接着工程では、図４の（ｄ）に示すように、この印刷層４の表面に、硬化後に透明性を発現する透明性接着剤５’をロールコーターやフローコーターで塗布する。ここにおいて、透明性接着剤５’としては、水性尿素メラミン樹脂接着剤、水性メラミン樹脂接着剤、水性ビニルウレタン樹脂接着剤などを用いることができる。
【００３６】
次に、この塗布した透明性接着剤５’が未硬化の状態で、図４の（ｅ）に示すように、その表面に厚さ０．２ｍｍ〜０．５ｍｍの木質化粧薄単板６’を載置し、加圧、或いは加熱加圧し透明性接着剤５’を硬化させて透明性接着剤層５に形成し、木質化粧薄単板６’を接着一体化する。
【００３７】
次に、薄単板研削工程では、この木質化粧薄単板６’の表面を、ブラッシングやショットブラストにより研削し、図４の（ｆ）に示すように、浮造り調の凹凸薄単板６に形成する。尚、この浮造り調の凹凸薄単板層６は、木質化粧単板６’の柔らかい春目部８が硬い秋目部９よりも多く研削される結果形成されるもので、好ましくは春目部８はその厚さが０．０５ｍｍ以下となり、秋目部９はその厚さが０．０５ｍｍ〜０．５ｍｍの範囲になるよう研削するのが良い。尚、春目部は、下の透明性接着剤層５が部分的に露出する程度にまで研削しておくこともできる。
【００３８】
次に、この凹凸薄単板層６の表面に、透明性樹脂塗料を、その凹凸を完全に埋設して表面が平滑面となるように塗布し、表面から紫外線を照射して硬化させ、透明性樹脂塗料層７に形成し、化粧板Ａを製造する。ここにおいて、透明性樹脂塗料としては、ウレタンアクリレート樹脂、エポキシアクリレート樹脂、メタアクリレート樹脂などの紫外線硬化型の樹脂を好適に用いることができる。
【実施例１】
【００３９】
９ｍｍ厚針葉樹合板の表面に３ｍｍ厚ＭＤＦを接着して形成した木質複合板を基板として準備した。この基板の表面色は、ＭＤＦの色である濃茶褐色であった。次にこの基板の表面に、エチレン酢酸ビニル樹脂エマルジョン接着剤の固形分に対し酸化チタンからなる白顔料を１０重量部加えて調整した不透明性接着剤を、固形分換算で５０ｇ／ｍ2となるように塗布した。次に、この接着剤塗布面に、坪量２３ｇの薄葉紙にパール色の光輝性のある、０．５ｍｍ〜３ｍｍ幅の細かなヘアライン調のストライプ柄を印刷した印刷紙をラミネートし、接着乾燥して印刷層を形成した。これによって、基板表面のＭＤＦの濃茶褐色は、この不透明性接着剤と印刷紙とからなる印刷層によって隠蔽され、印刷層表面には現出していなかった。
【００４０】
次に、この印刷層の表面に、硬化後に透明性を発現する水性尿素メラミン樹脂接着剤を固形分換算で３５ｇ／ｍ2となるように塗布し、その表面に厚さ０．２５ｍｍのサワグルミの板目薄単板を、その板目の長さ方向が印刷層のストライプ柄の長さ方向に向くように載置して熱圧接着した。次にこの薄単板の表面を、平均粒径６０μｍのガラス粒子を用いてショットブラストし、柔らかい春目部の厚さが０．０５ｍｍ以下となり、硬い秋目部の厚さがそれより厚くなるように研削して浮造り調凹凸薄単板に形成した。
【００４１】
次に、この凹凸薄単板の表面に紫外線硬化型の透明性ウレタンアクリレート樹脂塗料を、凹凸面が完全に埋設され表面が平滑面となるように固形分換算で１５０ｇ／ｍ2を塗布して実施例１に係る化粧板を得た。尚、この塗布によって、上記透明性樹脂塗料の一部は、凹凸木質薄単板、特にその柔らかい春目部に多く浸透し、春目部の透過性を更に向上させていた。
【００４２】
このようにして得られた化粧板は、サワグルミ板目単板の変化に乏しい木目外観に、印刷層の細かなストライプ調の色柄が、春目部においては強く、秋目部においては弱く融合調和し、透明性ウレタンアクリレート樹脂塗料層を透過して立体感と深みと光沢感が加わり、しかも板目模様にストライプ柄の柾目模様を感じさせる自然で新しい木目外観となって表面に現出していた。
【実施例２】
【００４３】
実施例１において、印刷層の表面にサワグルミの板目薄単板を熱圧接着するに際し、サワグルミの板目薄単板を、その板目の長さ方向が印刷層のストライプ柄の長さ方向と直交する方向に載置して熱圧接着し、その他は実施例１と同様にして製造し実施例２に係る化粧板を得た。
【００４４】
このようにして得られた化粧板は、印刷層の細かなストライプ調の色柄が、春目部においては強く、秋目部においては弱く融合調和して、恰も製材時のラフな鋸目の跡を感じさせる板目のラフソーン柄調の、実施例１とは全く異なった自然でワイルドな外観となって表面に現出していた。
【実施例３】
【００４５】
実施例１において、印刷層の色柄として、細かで不規則な斑模様を印刷した金色の印刷紙を用いる以外は、実施例１と同様にして製造し実施例３に係る化粧板を得た。
【００４６】
このようにして得られた化粧板は、印刷紙の細かで不規則な金色の斑模様の色柄が、サワグルミ板目の凹凸薄単板と、春目部においては強く、秋目部においては弱く融合調和して、特に春目部が金色の斑模様に強調された、光輝性と立体感、自然感のある新しい木目外観となって表面に現出していた。
【実施例４】
【００４７】
実施例１において、凹凸木質薄単板の表面に紫外線硬化型の透明性ウレタンアクリレート樹脂塗料を、凹凸木質薄単板の凹凸面が残存するように固形分換算で  １５０ｇ／ｍ2となるように塗布し、その他の条件は実施例１と同様にして実施例４に係る化粧板を得た。
【００４８】
このようにして得られた化粧板は、実施例１に係る化粧板の木目外観に加えて、表面に実際に浮造り調の凹凸を現出させた触感的にも凹凸を感じ得るものであった。
【実施例５】
【００４９】
実施例１において、印刷層の色柄として、１〜５ｍｍ間隔の柾目の木目模様が印刷された印刷紙を用い、この印刷層の表面に、実施例１で用いた水性尿素メラミン樹脂接着剤を固形分換算で３５ｇ／ｍ2となるように塗布し、その表面に、同じく実施例１で用いた厚さ０．２５ｍｍのサワグルミの板目薄単板を、その板目の長さ方向が印刷層の柾目の木目模様の長さ方向に向くように載置して熱圧接着し、その他の条件は実施例１と同様にして実施例５に係る化粧板を得た。
【００５０】
このようにして得られた化粧板は、化粧紙の柾目の木目模様が、サワグルミ板目の凹凸薄単板と、春目部においては強く、秋目部においては弱く融合調和して、深みと自然感のある新しい人口の木目外観となって表面に現出していた。
【比較例】
【００５１】
実施例１において、ショットブラストによる薄単板研削工程を行わず、その他の条件は実施例１と同様にして比較例に係る化粧板を得た。
【００５２】
このようにして得られた化粧板は、印刷紙のストライプ柄が、化粧板表面の春目部において不明瞭で意図するような装飾性のある外観となっては現出しておらず、化粧板として商品価値に乏しいものであった。
【産業上の利用可能性】
【００５３】
印刷紙の色柄を木質薄単板の木目の色柄と融合調和させることによって、人工的で装飾性に優れた新しいデザインの化粧板に形成することができ、内装建材や家具以外の、例えば車両用化粧材や傘や工具類の柄、人形ケース、額縁などの木目外観の化粧材など幅広い用途に適用できる。
【符号の説明】
【００５４】
Ａ、Ｂ、Ｃ    化粧板
１            基板
２            不透明性接着剤層
３            印刷紙層
４            印刷層
５            透明性接着剤層
６            凹凸薄単板層
７            透明性樹脂塗料層
８            春目部
９            秋目部
【図１】
2010173202.tif 000003
【図２】
2010173202.tif 000004
【図３】
2010173202.tif 000005
【図４】
2010173202.tif 000006